(57)【要約】【課題】  自機が有する機能や性能を他のカメラのユーザに利用させたり、自機が有しない機能を他のカメラによって補完する等の、他機カメラの有効利用を可能にする。【解決手段】  このカメラシステムは共にデジタルカメラであって無線接続される親機Ａと、子機Ｂとで構成されている。親機Ａは、解像度、記憶容量等において子機Ｂよりも高機能で表示部も備えたデジタルカメラであり、子機Ｂは親機Ａよりも低機能な表示部等を備えない簡易型のデジタルカメラである。そして、子機Ｂで撮影した画像を親機Ａに送信して、親機Ａのメモリカードに記憶させることにより、コンビニエンスストア等に配置されている印刷機Ｃで印刷可能としたり、子機Ｂで撮影した画像を親機Ａ送信して、親機Ａの表示部に表示させて視認可能にする。【選択図】    図１
2005295421.tif 000002
【特許請求の範囲】
【請求項１】
第１の撮像装置と第２の撮像装置とからなる画像通信システムであって、
前記第１の撮像装置は、撮像された画像情報を前記第２の撮像装置に無線送信する画像情報送信手段を備え、
前記第２の撮像装置は、
前記第１の撮像装置から無線送信される画像情報を受信する画像情報受信手段と、
この画像情報受信手段により受信された画像情報を記憶する第１の記憶手段と、
当該装置で撮像された画像情報を記憶する第２の記憶手段と、
前記第１の記憶手段に記憶された画像情報と前記第２の記憶手段に記憶された画像情報とを一覧表示する表示手段と
を備えることを特徴とする画像通信システム。
【請求項２】
前記第２の撮像装置は、前記第１の撮像装置の制御情報を無線送信する制御情報送信手段を更に備え、
前記第１の撮像装置は、
前記第２の撮像装置から送信された制御情報を無線受信する制御情報受信手段と、
この制御情報受信手段によって無線受信された制御情報に従い当該装置を制御する制御手段と
を更に備えることを特徴とする請求項１に記載の画像通信システム。
【請求項３】
前記第１の撮像装置は、発光手段を更に備え、
前記制御情報とは、前記発光手段の発光タイミングを制御する情報であることを特徴とする請求項２に記載の画像通信システム。
【請求項４】
前記制御情報とは、前記第１の撮像装置における撮像を制御する情報であることを特徴とする請求項２または３に記載の画像通信システム。
【請求項５】
前記第１の撮像装置は、
当該装置の状態を示す状態情報を前記第２の撮像装置へ無線送信する状態情報送信手段を更に備え、
前記第２の撮像装置は、
前記第２の撮像装置から送信された状態情報を無線受信する状態情報受信手段と、
この状態情報受信手段によって受信された前記第１の撮像装置の状態を、前記表示手段に表示するよう制御する表示制御手段と
を更に備えることを特徴とする請求項１乃至４のいずれかに記載の画像通信システム。
【請求項６】
前記第２の撮像装置は、
前記第１の記憶手段に記憶された画像情報と、前記第２の記憶手段に記憶された画像情報とを合成する合成手段と、
この合成手段によって合成された画像情報を印刷すべき画像情報として当該装置に対し着脱可能な記録媒体に記憶させる記憶制御手段と
を更に備えることを特徴とする請求項１乃至５のいずれかに記載の画像通信システム。
【請求項７】
第１の撮像手段を備えた外部装置に対し、当該外部装置を制御する制御情報を無線送信する制御情報送信手段と、
前記外部機器にて前記制御情報の受信に応答して撮像され、無線送信される画像情報を受信する画像情報受信手段と、
この画像情報受信手段によって受信された画像情報を記憶する第１の記憶手段と、
第２の撮像手段と、
この第２の撮像手段によって撮像された画像情報を記憶する第２の記憶手段と、
前記第１の記憶手段に記憶された画像情報と前記第２の記憶手段に記憶された画像情報とを一覧表示する表示手段と
を備えることを特徴とする撮像装置。
【請求項８】
前記外部機器は発光手段を更に備え、
前記制御情報とは、前記発光手段の発光タイミングを制御する情報であることを特徴とする請求項７に記載の撮像装置。
【請求項９】
前記外部機器より無線送信される当該機器の状態情報を無線受信する状態情報受信手段を更に備え、
この状態情報受信手段によって受信された前記外部機器の状態を、前記表示手段に表示するよう制御する表示制御手段と
を更に備えることを特徴とする請求項７または８に記載の撮像装置。
【請求項１０】
前記第１の記憶手段に記憶された画像情報と、前記第２の記憶手段に記憶された画像情報とを合成する合成手段と、
この合成手段によって合成された画像情報を印刷すべき画像情報として当該装置に対し着脱可能な記録媒体に記憶させる記憶制御手段と
を更に備えることを特徴とする請求項１乃至９のいずれかに記載の撮像装置。
【請求項１１】
無線通信部を備えた撮像装置における撮像制御方法であって、
撮像部を備えた外部装置に対し、当該外部装置を制御する制御情報を前記無線通信部を介して無線送信させる制御情報送信ステップと、
前記外部機器にて前記制御情報の受信に応答して撮像され、無線送信される画像情報を前記無線通信部を介して受信させる画像情報受信ステップと、
この画像情報受信ステップにて受信された画像情報をメモリに記憶させる第１の記憶ステップと、
当該装置にて撮像された画像情報を前記メモリに記憶させる第２の記憶ステップと、
前記メモリに記憶された画像情報を表示出力させる第１の表示ステップと
からなることを特徴とする撮像制御方法。
【請求項１２】
前記外部機器は発光部を更に備え、
前記制御情報とは、前記発光部の発光タイミングを制御する情報であることを特徴とする請求項１１に記載の撮影制御方法。
【請求項１３】
前記外部機器より無線送信される当該機器の状態情報を前記無線通信部を介して無線受信する状態情報受信ステップと、
この状態情報受信ステップにて受信された前記外部機器の状態を、表示出力させるよう第２の表示ステップと
を更に含むことを特徴とする請求項１１または１２に記載の撮像制御方法。
【請求項１４】
前記メモリに記憶された複数の画像情報とを合成する合成ステップと、
この合成ステップにて合成された画像情報を印刷すべき画像情報として当該装置に対し着脱可能な記録媒体に記憶させる記憶制御ステップと
を更に含むことを特徴とする請求項１１乃至１３のいずれかに記載の撮像制御方法。
【請求項１５】
無線通信部を備えた撮像装置が有するコンピュータを、
撮像部を備えた外部装置に対し、当該外部装置を制御する制御情報を前記無線通信部を介して無線送信させる制御情報送信手段と、
前記外部機器にて前記制御情報の受信に応答して撮像され、無線送信される画像情報を前記無線通信部を介して受信させる画像情報受信手段と、
この画像情報受信ステップにて受信された画像情報をメモリに記憶させる第１の記憶制御手段と、
当該装置にて撮像された画像情報を前記メモリに記憶させる第２の記憶制御手段と、
前記メモリに記憶された画像情報を表示出力させる表示制御手段と
して機能させることを特徴とする撮像制御プログラム。
【発明の詳細な説明】
【技術分野】
【０００１】
本発明は、第１の撮像装置と第２の撮像装置とで構成される画像通信システム、撮像装置、撮像制御方法、及び、撮像制御プログラムカメラシステムに関する。
【背景技術】
【０００２】
今日においては、多種多様なデジタルカメラが出現するに至っている。例えば、上位機種においては、ズーム機能やＡＦ機能を備えるとともに高解像度を有し、記憶容量の大きな内部メモリを有するのみならず外部記憶媒体を装着することも可能である。一方、低位機種にあっては、固定焦点であって内部メモリのみを有し、内部メモリにあってもその容量は比較的少ない。また、外部との通信機能を有し、撮像した画像データを外部のサーバに送信することが可能なデジタルカメラも出現するに至っている（例えば、特許文献１参照。）。
【特許文献１】特開２００４−７２１９５号公報
【発明の開示】
【発明が解決しようとする課題】
【０００３】
しかしながら、このように多種多様なデジタルカメラが出現するに至ってはいるものの、これらのデジタルカメラは自機が有する各種機能を自機においてのみ発現させることができるに過ぎない。したがって、自機が有する機能や性能を他のデジタルカメラに利用させたり、自機が有しない機能を他のデジタルカメラによって補完する等の、他のデジタルカメラの有効利用を図ることができるものではなった。
【０００４】
本発明は、かかる従来の課題に鑑みてなされたものであり、自機が有する機能や性能を他のカメラのユーザに利用させたり、自機が有しない機能を他のカメラによって補完する等の、他機カメラの有効利用を可能にしたカメラシステムを提供することを目的とする。
【課題を解決するための手段】
【０００５】
前記課題を解決するために請求項１記載の発明にあっては、第１の撮像装置と第２の撮像装置とからなる画像通信システムであって、前記第１の撮像装置は、撮像された画像情報を前記第２の撮像装置に無線送信する画像情報送信手段を備え、前記第２の撮像装置は、前記第１の撮像装置から無線送信される画像情報を受信する画像情報受信手段と、この画像情報受信手段により受信された画像情報を記憶する第１の記憶手段と、当該装置で撮像された画像情報を記憶する第２の記憶手段と、前記第１の記憶手段に記憶された画像情報と前記第２の記憶手段に記憶された画像情報とを一覧表示する表示手段とを備える。
【０００６】
したがって、第１の撮像装置が記憶手段や表示手段を具備しない簡易型の撮像装置であっても、第１の撮像装置で撮像した画像を第２の撮像装置側の記憶手段に記憶させたり、表示手段に表示させる等が可能となる。よって、記憶手段や表示手段を有していない簡易型の撮像装置であっても、この簡易型の第１の撮像装置で撮像した画像を第２の撮像装置の記憶手段を有効に利用して記憶し、かつ表示手段を有効に利用して視認することができる。
【０００７】
また、請求項２記載の発明に係る画像通信システムにあっては、前記第２の撮像装置は、前記第１の撮像装置の制御情報を無線送信する制御情報送信手段を更に備え、前記第１の撮像装置は、前記第２の撮像装置から送信された制御情報を無線受信する制御情報受信手段と、この制御情報受信手段によって無線受信された制御情報に従い当該装置を制御する制御手段とを更に備える。したがって、第２の撮像装置から第１の撮像装置に制御情報を送信すると、第１の撮像装置はこれを受信して、この情報に基づき対応する各種制御を実行する。よって、第１の撮像装置が有する機能を第２の撮像装置側から制御することができる。
【０００８】
また、請求項３記載の発明に係る画像通信システムにあっては、前記第１の撮像装置は、発光手段を更に備え、前記制御情報とは、前記発光手段の発光タイミングを制御する情報である。したがって、第１の撮像装置の発光動作を第２の撮像装置側から制御できることから、夜間等において第２の撮像装置内蔵のフラッシュでは光量が足りないロングショットの撮影などに、被写体付近に第１の撮像装置を配置することにより、撮影に必要な光量を確保することができる
【０００９】
また、請求項４記載の発明に係る画像通信システムにあっては、前記制御情報とは、前記第１の撮像装置における撮像を制御する情報である。したがって、被写体の周囲に間隔を置いて複数個の第１の撮像装置を配置し、第２の撮像装置での操作により各第１の撮像装置に撮像処理を実行させることにより、被写体を異なる角度から撮影した画像を一瞬にして撮像することができ、マルチアングルの同時撮影が可能となる。
【００１０】
また、請求項５記載の発明に係る画像通信システムにあっては、前記第１の撮像装置は、当該装置の状態を示す状態情報を前記第２の撮像装置へ無線送信する状態情報送信手段を更に備え、前記第２の撮像装置は、前記第２の撮像装置から送信された状態情報を無線受信する状態情報受信手段と、この状態情報受信手段によって受信された前記第１の撮像装置の状態を、前記表示手段に表示するよう制御する表示制御手段とを更に備える。
【００１１】
つまり、撮像装置で撮像を行う場合、機器本体を横向きにした通常の撮像のみならず、機器本体を縦向きした撮像も行われ、これら横向きにした場合と縦向きした場合とでは、当該撮像装置において画像の方向も異なる。したがって、第１の撮像装置の状態が第２の撮像装置の表示手段に表示されることにより、第２の撮像装置側で第１の撮像装置がどのような状態で撮像しているかを確認することができる。
【００１２】
また、請求項６記載の発明に係る画像通信システムにあっては、前記第２の撮像装置は、前記第１の記憶手段に記憶された画像情報と、前記第２の記憶手段に記憶された画像情報とを合成する合成手段と、この合成手段によって合成された画像情報を印刷すべき画像情報として当該装置に対し着脱可能な記録媒体に記憶させる記憶制御手段とを更に備える。したがって、第１の撮像装置で撮像された画像情報と第２の撮像装置で撮像された画像情報とを合成して着脱可能な記録媒体に記憶させた上で、この記録媒体を第２の撮像装置から取り外して、外部の印刷装置により合成された画像をプリントアウトすることができる。
【００１３】
また、請求項７記載の発明に係る撮像装置にあっては、第１の撮像手段を備えた外部装置に対し、当該外部装置を制御する制御情報を無線送信する制御情報送信手段と、前記外部機器にて前記制御情報の受信に応答して撮像され、無線送信される画像情報を受信する画像情報受信手段と、この画像情報受信手段によって受信された画像情報を記憶する第１の記憶手段と、第２の撮像手段と、この第２の撮像手段によって撮像された画像情報を記憶する第２の記憶手段と、前記第１の記憶手段に記憶された画像情報と前記第２の記憶手段に記憶された画像情報とを一覧表示する表示手段とを備える。
【００１４】
したがって、記憶手段や表示手段を有していない外部装置であっても、この外部装置で撮像した画像を本請求項に係る撮像装置の記憶手段を有効に利用して記憶し、かつ表示手段を有効に利用して視認することができる。
【００１５】
また、請求項８記載の発明に係る撮像装置にあっては、前記外部機器は発光手段を更に備え、前記制御情報とは、前記発光手段の発光タイミングを制御する情報である。したがって、外部機器の発光動作を撮像装置側から制御できることから、夜間等において撮像装置内蔵のフラッシュでは光量が足りないロングショットの撮影などに、被写体付近に外部機器を配置することにより、撮影に必要な光量を確保することができる
【００１６】
また、請求項９記載の発明に係る撮像装置にあっては、前記外部機器より無線送信される当該機器の状態情報を無線受信する状態情報受信手段を更に備え、この状態情報受信手段によって受信された前記外部機器の状態を、前記表示手段に表示するよう制御する表示制御手段とを更に備える。
【００１７】
つまり、前記外部機器で撮像を行う場合、機器本体を横向きにした通常の撮像のみならず、機器本体を縦向きした撮像も行われ、これら横向きにした場合と縦向きした場合とでは、当該外部機器において画像の方向も異なる。したがって、外部機器の状態が撮像装置の表示手段に表示されることにより、撮像装置側で外部機器がどのような状態で撮像しているかを確認することができる。
【００１８】
また、請求項１０記載の発明に係る撮像装置にあっては、前記第１の記憶手段に記憶された画像情報と、前記第２の記憶手段に記憶された画像情報とを合成する合成手段と、この合成手段によって合成された画像情報を印刷すべき画像情報として当該装置に対し着脱可能な記録媒体に記憶させる記憶制御手段とを更に備える。したがって、外部機器で撮像された画像情報と撮像装置で撮像された画像情報とを合成して着脱可能な記録媒体に記憶させた上で、この記録媒体を撮像装置から取り外して、外部の印刷装置により合成された画像をプリントアウトすることができる。
【００１９】
また、請求項１１記載の発明にあっては、無線通信部を備えた撮像装置における撮像制御方法であって、撮像部を備えた外部装置に対し、当該外部装置を制御する制御情報を前記無線通信部を介して無線送信させる制御情報送信ステップと、前記外部機器にて前記制御情報の受信に応答して撮像され、無線送信される画像情報を前記無線通信部を介して受信させる画像情報受信ステップと、この画像情報受信ステップにて受信された画像情報をメモリに記憶させる第１の記憶ステップと、当該装置にて撮像された画像情報を前記メモリに記憶させる第２の記憶ステップと、前記メモリに記憶された画像情報を表示出力させる第１の表示ステップとからなる。したがって、記載したステップに従って処理を実行することにより、請求項７記載の発明と同様の作用効果を奏する。
【００２０】
また、請求項１２記載の発明に係る撮影制御方法にあっては、前記外部機器は発光部を更に備え、前記制御情報とは、前記発光部の発光タイミングを制御する情報である。したがって、記載したステップに従って処理を実行することにより、請求項８記載の発明と同様の作用効果を奏する。
【００２１】
また、請求項１３記載の発明に係る撮影制御方法にあっては、前記外部機器より無線送信される当該機器の状態情報を前記無線通信部を介して無線受信する状態情報受信ステップと、この状態情報受信ステップにて受信された前記外部機器の状態を、表示出力させるよう第２の表示ステップとを更に含む。したがって、記載したステップに従って処理を実行することにより、請求項９記載の発明と同様の作用効果を奏する。
【００２２】
また、請求項１４記載の発明に係る撮影制御方法にあっては、前記メモリに記憶された複数の画像情報とを合成する合成ステップと、この合成ステップにて合成された画像情報を印刷すべき画像情報として当該装置に対し着脱可能な記録媒体に記憶させる記憶制御ステップとを更に含む。したがって、記載したステップに従って処理を実行することにより、請求項１０記載の発明と同様の作用効果を奏する。
【００２３】
また、請求項１５記載の発明に係る撮像制御プログラムにあっては、無線通信部を備えた撮像装置が有するコンピュータを、撮像部を備えた外部装置に対し、当該外部装置を制御する制御情報を前記無線通信部を介して無線送信させる制御情報送信手段と、前記外部機器にて前記制御情報の受信に応答して撮像され、無線送信される画像情報を前記無線通信部を介して受信させる画像情報受信手段と、この画像情報受信ステップにて受信された画像情報をメモリに記憶させる第１の記憶制御手段と、当該装置にて撮像された画像情報を前記メモリに記憶させる第２の記憶制御手段と、前記メモリに記憶された画像情報を表示出力させる表示制御手段として機能させる。したがって、前記コンピュータがこのプログラムに従って処理を実行することにより、請求項７記載の発明と同様の作用効果を奏する。
【発明の効果】
【００２４】
以上説明したように、請求項１に係る発明によれば、第１の撮像装置が記憶手段や表示手段を具備しない簡易型の撮像装置であっても、第１の撮像装置で撮像した画像を第２の撮像装置側の記憶手段に記憶させたり、表示手段に表示させる等が可能となる。よって、記憶手段や表示手段を有していない簡易型の撮像装置であっても、この簡易型の第１の撮像装置で撮像した画像を第２の撮像装置の記憶手段を有効に利用して記憶し、かつ表示手段を有効に利用して視認することができる。
【００２５】
また、請求項２に係る発明によれば、第２の撮像装置から第１の撮像装置に制御情報を送信すると、第１の撮像装置はこれを受信して、この情報に基づき対応する各種制御を実行することから、第１の撮像装置が有する機能を第２の撮像装置側から制御することができる。
【００２６】
また、請求項３に係る発明によれば、第１の撮像装置の発光動作を第２の撮像装置側から制御できることから、夜間等において第２の撮像装置内蔵のフラッシュでは光量が足りないロングショットの撮影などに、被写体付近に第１の撮像装置を配置することにより、撮影に必要な光量を確保することができる
【００２７】
また、請求項４に係る発明によれば、被写体の周囲に間隔を置いて複数個の第１の撮像装置を配置し、第２の撮像装置での操作により各第１の撮像装置に撮像処理を実行させることにより、被写体を異なる角度から撮影した画像を一瞬にして撮像することができ、マルチアングルの同時撮影が可能となる。
【００２８】
また、請求項５に係る発明によれば、第１の撮像装置の状態が第２の撮像装置の表示手段に表示されることにより、第２の撮像装置側で第１の撮像装置がどのような状態で撮像しているかを確認することができる。
【００２９】
また、請求項６に係る発明によれば、第１の撮像装置で撮像された画像情報と第２の撮像装置で撮像された画像情報とを合成して着脱可能な記録媒体に記憶させた上で、この記録媒体を第２の撮像装置から取り外して、外部の印刷装置により合成された画像をプリントアウトすることができる。
【００３０】
また、請求項７、１１、１５に係る発明によれば、記憶手段や表示手段を有していない外部装置であっても、この外部装置で撮像した画像を本請求項に係る撮像装置の記憶手段を有効に利用して記憶し、かつ表示手段を有効に利用して視認することができる。
【００３１】
また、請求項８、１２に係る発明によれば、外部機器の発光動作を撮像装置側から制御できることから、夜間等において撮像装置内蔵のフラッシュでは光量が足りないロングショットの撮影などに、被写体付近に外部機器を配置することにより、撮影に必要な光量を確保することができる。
【００３２】
また、請求項９、１３に係る発明によれば、外部機器の状態が撮像装置の表示手段に表示されることにより、撮像装置側で外部機器がどのような状態で撮像しているかを確認することができる。
【００３３】
また、請求項１０、１４に係る発明によれば、外部機器で撮像された画像情報と撮像装置で撮像された画像情報とを合成して着脱可能な記録媒体に記憶させた上で、この記録媒体を撮像装置から取り外して、外部の印刷装置により合成された画像をプリントアウトすることができる。
【発明を実施するための最良の形態】
【００３４】
以下、本発明の一実施の形態を図に従って説明する。
【００３５】
図１は、本発明の一実施の形態に係るカメラシステムを示すものであり、このカメラシステムは共にデジタルカメラであって無線接続される親機（第２の撮像装置）Ａと、子機（第１の撮像装置）Ｂとで構成されている。親機Ａは、解像度、記憶容量等において子機Ｂよりも高機能なデジタルカメラであり、子機Ｂは親機Ａよりも低機能な簡易型のデジタルカメラである。なお、図１において外部記録媒体１９は後述するように親機Ａに着脱自在に設けられたものであり、印刷機Ｃはコンビニエンスストア等に配置され外部記録媒体１９からの画像データを読み取ってプリントアウトするものである。
【００３６】
図２は、親機Ａの構成を示すブロック図である。図において画像取得部１は、撮像レンズ１０１とズーム駆動部１０２及びＬＰＦ１０３を備えている。撮像レンズ１０１はズーム機能を備えた光学系であり、ズーム駆動部１０２はドライバ３により制御されて撮像レンズ１０１を駆動するステッピングモータ等を有してなる。ＬＰＦ１０３は、水晶ローパスフィルターであって、モアレの発生を防止すべく搭載されている。
【００３７】
この画像取得部１の後段には、ＣＣＤ、ＣＭＯＳ等の撮像センサ２０１と、サンプリング／信号処理部２０２、及びＡＤコンバータ２０３とを有するアナログ信号処理部２が配置されている。撮像センサ２０１は、ＬＰＦ１０３を介して撮像レンズ１０１により結像された被写体画像のＲＧＢの各色の強さを電流値に変換する。また、撮像センサ２０１は、制御部５が設定した電荷蓄積時間がシャッターパルスとして、ドライバ３に供給され、これに従いドライバ３が撮像センサ２０１を駆動することにより電荷蓄積時間すなわち露光時間が制御される。つまり撮像センサ２０１は電子シャッターとして機能する。サンプリング／信号処理部２０２は、撮像センサ２０１からの画像信号のノイズや色むらを抑えるために相関二重サンプリング処理や信号増幅処理を行う。ＡＤコンバータ２０３は、サンプリング／信号処理部２０２がサンプリング・増幅したアナログ信号をデジタル信号に変換し、ＲＧＢ、ＣＹＭＧ各色について１２ｂｉｔデータに変換してバスライン４に出力する。
【００３８】
制御部５は、ＣＰＵ及びその周辺回路と、ＣＰＵの作業用メモリであるＲＡＭ等を有するマイクロコンピュータであり、後述するプログラムメモリ１６に格納されるプログラムに基づいて、このデジタルカメラ全体を制御する。プレビューエンジン６は、アナログ信号処理部２を介して入力されたデジタルデータ、若しくはシャッター操作検出後イメージバッファ１２に格納されたデジタルデータ、及び画像メモリ１７に格納されたデジタルデータを表示部９に表示させるための間引き処理を行う回路部である。Ｄ／Ａコンバータ７は、プレビューエンジン６により間引きされたデジタルデータを変換し、後段のドライバ８に出力する。ドライバ８は、後段の表示部９に表示されるデジタルデータを一時記憶するバッファ領域を備え、キー操作部１３、制御部５を介して入力された制御信号に基づいて制御部５を駆動する。表示部９は、プレビュー画像を表示可能なカラーＴＦＴ液晶からなる。
【００３９】
フラッシュコントローラー１０は、ストロボフラッシュ用のＬＥＤ１１を制御するものであり、ストロボ発光の際の充電制御も兼ねる。イメージバッファ（ＳＤＲＡＭ）１２は、アナログ信号処理部２又はデジタル信号処理部１４を介して入力され、デジタル信号処理部１４で処理されるデジタルデータを一時的に格納する領域である。キー操作部１３は、シャッターキー１３１及び不図示のズームキー、記録／再生モード、記録モードにおける動画撮影モードへの切り換えキー、十字キー、メニューキー等の外部操作手段を備える。そして、後述するフローチャートに示す各種モードは、ユーザによるメニューキー等の操作により設定される。
【００４０】
デジタル信号処理部１４は、アナログ信号処理部２を介して入力されたデジタルデータ（非圧縮のＲＡＷイメージデータ）について、ホワイトバランス処理、色処理、階調処理、輪郭強調を行う。画像圧縮／伸張処理部１５は、デジタル信号処理部１４を介して入力されたデジタルデータ（非圧縮のＲＡＷイメージデータ）をＪＰＥＧ方式やＭＰＥＧ方式に圧縮符号化したり、再生モードにおいては、ＪＰＥＧ形式のファイルやＭＰＥＧ形式のファイルを伸長する。動画撮影の場合は、アナログ信号処理部２→イメージバッファ１２→デジタル信号処理部１４→圧縮／伸張処理部１５まで、一連の動作を行って動画ファイル（ＪＰＥＧ２０００形式、ＭＰＥＧ−４形式のファイル）を作成する。
【００４１】
プログラムメモリ（ＮＡＮＤ  Ｆｌａｓｈ  ＲＯＭ）１６は、制御部５にロードされる各種プログラムを格納するとともに、ＥＶ値、色補正情報等の各種情報をテーブル単位で格納しており、またＤＣＦ規格に準拠されているファイルに埋め込む各種情報も記憶している。画像メモリ１７は、ファイル形式に変換されたデジタルデータを格納する。カードＩ／Ｆ１８は、外部記録媒体１９とこのデジタルカメラとの間のデータ変換をサポートするものであり、外部記録媒体１９は、コンパクトフラッシュ（登録商標）、メモリースティック、ＳＤカード等の着脱自在なメモリからなる。外部接続用Ｉ／Ｆ２０は、ＵＳＢコネクター用スロットからなる。通信部２１は、子機Ｂと所定の周波数で無線通信を行ってデータやコマンドを送受信するものであり、アンテナ２２が接続されている。
【００４２】
図３は、子機Ｂの構成を示すブロック図である。前述のように、子機Ｂは親機Ａよりも低機能な簡易型のデジタルカメラであって、ズーム機能を有しておらず、レンズ１０４の撮影光軸後方にアナログ信号処理部２が配置されている。アナログ信号処理部２において、撮像センサ２０１の解像度は親機Ａのそれよりも低い。また、子機Ｂは光学ファインダーのみを有する機種であり、それ故、親機Ａが備えていた前記表示部９、及びこの表示部９に関連する回路部であるドライバ８、Ｄ／Ａコンバータ７を備えていない。更に、子機Ｂは、画像メモリ１７にのみ画像を記録可能であり、よって、前記外部記録媒体１９及びカードＩ／Ｆも備えておらず、画像メモリ１７の記憶容量も親機Ａのそれよりも小さい。また、キー操作部１３は、シャッターキー１３１は備えているが他のキーの数は親機Ａのキーの数より遙かに少ない。なお、他の構成は図２に示した親機Ａと同一であるので、同一部分に同一符号を付して説明を省略する。
【００４３】
但し、子機Ｂは親機Ａと異なり、状態センサ２３を有している。この状態センサ２３は、子機Ｂの機器本体の向きに応じた検出信号ａ、ｂを制御部５にバスライン４を介して出力するものである。
【００４４】
図４は、状態センサ２３が出力する検出信号ａ、ｂと子機Ｂの機器本体の向きとの関係を示す図である。図示のように、この状態センサ２３は、子機Ｂのレンズ１０４（図１参照）が正面右に位置する状態が通常状態（状態（１））であり、このとき検出信号ａ、ｂは共にＯＮとなる。また、レンズ１０４が上部に位置する上縦置き状態（状態（２））では、検出信号ａはＯＮ、検出信号ｂはＯＦＦである。レンズ１０４が左に位置する天地逆転状態（状態（３））では、検出信号ａ、ｂは共にＯＦＦである。レンズ１０４が下部に位置する下縦置き状態（状態（４））では、検出信号ａはＯＦＦ、検出信号ｂはＯＮである。したがて、これら検出信号ａ，ｂのＯＮ、ＯＦＦを示すデータを撮影した画像とともに記録することにより、当該画像が状態（１）〜（４）のいずれで撮影されたものであるかを認識することが可能である。
【００４５】
以上の構成に係る本実施の形態において、子機Ｂの制御部５はプログラムメモリ１６からロードしたプログラムに基づき、図５に示すフローチャートに従って処理を実行する。すなわち、ユーザにより接続モードが設定されたか否かを判断し（ステップＢ１）、接続モードが設定されていない場合には、後述するデジタルカメラとしての通常の動作処理を実行する（ステップＢ２）。接続モードが設定された場合には、通信部２１を起動して親機Ａと無線接続させる（ステップＢ３）。更に、親機Ａと無線接続状態となったか否かを判断し（ステップＢ４）、接続状態となっていない場合には一定回数以上接続動作を行ったか否かを判断する（ステップＢ５）。一定回数以上接続動作を行っていない場合には、ステップＢ３に戻って接続処理を実行し、一定回数以上接続動作を行っても親機Ａと接続状態にならない場合には、接続エラーとする（ステップＢ６）。
【００４６】
また、ステップＢ４での判断の結果、親機Ａと無線接続状態となった場合には、親機Ａとの通信に基づき、親機Ａはデータ処理モードであるか否かを判断し（ステップＢ７）、データ処理モードである場合には、後述するデータ処理・加工シーケンスへ移行する（ステップＢ８）。親機Ａがデータ処理モードでない場合には（ステップＢ７；ＮＯ）、親機Ａは閲覧モードであるか否かを判断し（ステップＢ９）、閲覧モードである場合には、後述する閲覧シーケンスへ移行する（ステップＢ１０）。
【００４７】
また、親機Ａが閲覧モードでない場合には（ステップＢ９：ＮＯ）、親機Ａは撮影モードであるか否かを判断する（ステップＢ１１）。撮影モードである場合には、更に親機Ａはレリーズモードである否かを判断し（ステップＢ１２）、レリーズモードである場合には後述するレリーズ撮影モードシーケンスへ移行する（ステップＢ１３）。レリーズモードでない場合には（ステップＢ１３：ＮＯ）、親機Ａはリモートフラッシュモードである否かを判断する（ステップＢ１４）。そして、リモートフラッシュモードである場合には、後述するリモートフラッシュシーケンスへ移行し（ステップＢ１５）、リモートフラッシュモードでない場合には、その他のモードへ移行する（ステップＢ１８）。
【００４８】
また、ステップＢ１１での判断結果、親機Ａが撮影モードでない場合には、親機Ａはコントロールモードであるか否かを判断し（ステップＢ１６）、コントロールモードである場合には、後述するコントロールシーケンスへ移行し（ステップＢ１７）、コントロールモードでない場合には、前記その他のモードへ移行する（ステップＢ１８）。
【００４９】
図６は、図５のフローチャートにおける前記「デジタルカメラとして通常動作処理」（ステップＢ２）の処理手順を示すフローチャートである。すなわち、シャッターキー１３１が操作されたか否かを判断し（ステップＢ２１）、操作されたならば、撮影処理を行って、イメージバッファ１２にシャッターキー１３１が操作された直後の画像データを取り込み、この画像データを画像メモリ１７に記録する（ステップＢ２２）。更に、状態センサ２３の検出信号ａ、ｂの値（ＯＮ、ＯＦＦ）を各画像データの画像情報に記録する（ステップＢ２３）。したがって、子機Ｂの画像メモリ１７には、撮影された被写体の画像データのみならず、そのとき子機Ｂが前記（１）〜（４）のいずれの状態で撮影されたかを示す検出信号ａ、ｂの値（ＯＮ、ＯＦＦ）も記録されることとなる。
【００５０】
図７は、前記「データ処理・加工シーケンス」（ステップＢ８）における子機データ移送シーケンスの処理手順を示すフローチャートである。すなわち、子機Ｂの画像メモリ１７に記録されている全ての画像データと画像情報（検出信号ａ、ｂの値（ＯＮ、ＯＦＦ））とを含む撮影ファイル情報を一括して親機Ａに転送し（ステップＢ８１）、データ処理・加工シーケンスを終了する（ステップＢ８２）。
【００５１】
図８は、図７のフローチャートに示した子機Ｂ側の処理である子機データ移送シーケンスに対応する親機Ａ側の処理であるデータ移動シーケンスの処理手順を示すフローチャートである。まず、メモリカード（外部記録媒体１９）上に、制御部５が有する時計部で計時した日から生成した名前、つまり現在日付で生成した名称で子機保存用ディレクトリを作成する（ステップＡ８１）。更に、前記ステップＢ８１での処理により子機Ｂから転送されてきた子機Ｂの撮影データ（画像データと画像情報（検出信号ａ、ｂの値（ＯＮ、ＯＦＦ））とを含む撮影ファイル）を前記ディレクトリに移送する（ステップＡ８２）。引き続き、状態センサ２３の情報に従って画像を回転して前記ディレクトリに記憶させる（ステップＡ８３）。
【００５２】
すなわち、子機Ｂにおいては、前記図４に示した状態（１）〜（４）のいずれでも撮影が可能である。このとき、状態（１）で撮影した場合には、その画像は図９（ａ）に示す横画像Ｐ１となり、状態（２）で撮影した場合には縦画像Ｐ２となる。よって、これら画像Ｐ１、Ｐ２を単に記憶させると、同図に示すように縦画像Ｐ２の被写体は横向きとなる。しかし、状態センサ２３の情報に従って画像Ｐ２を９０°回転させることにより、図９（ｂ）に示すように、各画像の被写体を正常な縦向きにして、外部記録媒体１９の前記ディレクトリに記録することができる。
【００５３】
また、前述のように親機Ａは外部記録媒体１９を脱着可能に備える一方、子機Ｂは外部記録媒体１９を備えていない。しかし、子機Ｂから親機Ａに転送して親機Ａ側の外部記録媒体１９に画像を記録させた後、これを親機Ａから取り外し、図１に示したコンビニエンスストア等に配置された印刷機Ｃでプリントアウトすることにより、子機Ｂ側で撮影された画像を外部機器でプリントアウトすることも可能となる。
【００５４】
図１０は、図７のフローチャートに示した子機Ｂ側の処理である子機データ移送シーケンスに対応する親機Ａ側の処理であるデータ移動シーケンスにおけるデータ連結シーケンスの処理手順を示すフローチャートである。まず、前述の図８のフローチャートで子機Ｂから移送した画像データのディレクトリを表示部９にメニュー表示させ（ステップＡ８０１）、ユーザの操作に応じていずれかのディレクトリを選択する（ステップＡ８０２）。更に、この選択したディレクトリ内の全てのファイルをサムネイルプレビュー表示して、ディレクトリ内ファイルの各縮小画像を表示部９に表示させる（ステップＡ８０３）。
【００５５】
また、ユーザの操作に応じて、サムネイルプレビューの連結に使う画像を選択し（ステップＡ８０４）、連結を開始する（ステップＡ８０５）。すなわち、親機Ａのイメージバッファ１２上に選択された画像を展開し（ステップＡ８０６）、前回展開した画像の右側に今回展開した画像を移動して配置する（ステップＡ８０７）。したがって、図１１（ａ）に示すように、子機Ｂから送信されて選択されたディレクトリに記憶されている画像群から、画像Ｐ００１が選択された後画像Ｐ００２が選択されたとすると、同図（ｂ）に示すように、画像Ｐ００１の右側に画像Ｐ００２が配置されることとなる。
【００５６】
引き続き、画像が所定の右端まで配置されたか否かを判断する（ステップＡ８０８）。つまり、図１１（ｂ）に示すように、横方向に４枚の画像を配置する形態であるとすると、画像Ｐ００３までが配置された状態では、その右側に１枚分の配置スペースが残存しており、画像が所定の右端まで配置されていない。よって、この場合には、ステップＡ８０８の判断がＮＯとなり、ステップＡ８０６からの処理を再度実行する。したがって、ステップＡ８０６及びＡ８０７の再度実行されることにより、画像Ｐ００３の右側に画像Ｐ００４が配置されることとなる。
【００５７】
また、このように画像Ｐ００３の右側に画像Ｐ００４が配置されると、画像が右端まで配置されてステップＡ８０８の判断がＹＥＳとなる。よって、ステップＡ８０８からステップＡ８０９に進み、これまで表示した画像の最下端＋１の座標に展開する位置を移動する（ステップＡ０９）。更に、展開する位置を「最下端＋１」における左端に移動して、前述したステップＡ８０６からの処理を実行する。これにより、図１１（ｂ）に示したように、ディレクトリから選択した画像が４列で表示部９に表示されることとなる。無論、所定の記憶操作によりこれら表示部９に表示された画像群のデータを外部記録媒体１９に記録させることができる。
【００５８】
なお、本実施の形態においては、データ移動シーケンスの場合を示したが、図１２に示すデータ移動コメント付加画像連結シーケンスを行って、ディレクトリから選択された画像Ｐ００１〜Ｐ００４・・・を適宜の間隔を置いて表示部９に表示させ、各画像の側部にユーザにより入力コメントＣを付加して表示させ、更にはこれを外部記録媒体１９に記録させるようにしてもよい。また、図１３に示すデータ移動画像シーケンスを行って、表示部９の前面に展開した親機Ａで撮影した画像ＰＡの一部に、ディレクトリから選択した画像Ｐ００１を合成して表示させ、更にはこれを外部記録媒体１９に記録させるようにしてもよい。
【００５９】
図１４は、前記図５のフローチャートにおける「閲覧シーケンス」（ステップＢ１０）の処理手順を示すフローチャートである。すなわち、シャッターキー１３１が操作されたか否かを判断し（ステップＢ１０１）、操作されたならば、状態センサ２３からの検出信号ａがＯＮ、ＯＦＦのいずれであるかを判断する（ステップＢ１０２）。検出信号ａがＯＦＦであるならば、更に、検出信号ｂがＯＮ、ＯＦＦのいずれであるかを判断する（ステップＢ１０３）。そして、検出信号ａ，ｂが共にＯＦＦであるならば、閲覧を終了する（ステップＢ１０４）。したがって、閲覧シーケンスにおいてシャッターキー１３１を１回操作した後、図４（３）に示したように、子機Ｂを天地逆転状態にすると、閲覧シーケンスが終了する。
【００６０】
また、ステップＢ１０３での判断の結果、検出信号ｂがＯＮであり、よって、検出信号ａがＯＦＦかつ検出信号ｂがＯＮの場合には、親機Ａへ「前の画像に戻る」信号を送信する（ステップＢ１０５）。したがって、閲覧シーケンスにおいてシャッターキー１３１を１回操作した後、図４（４）に示したように、子機Ｂをレンズ１０４が下部に位置する下縦置き状態にすると、子機Ｂから親機Ａに「前の画像に戻る」信号が送信される。
【００６１】
また、ステップＢ１０２での判断の結果、検出信号ａがＯＮであるならば、更に、検出信号ｂがＯＮ、ＯＦＦのいずれであるかを判断する（ステップＢ１０６）。そして、検出信号ｂがＯＦＦであり、よって、検出信号ａがＯＮかつ検出信号ｂがＯＦＦの場合には、親機Ａへ「次の画像を表示」信号を送信し（ステップＢ１０７）、このフローチャートの先頭に戻る（ステップＢ１０８）。したがって、閲覧シーケンスにおいてシャッターキー１３１を１回操作した後、図４（２）に示したように、子機Ｂをレンズ１０４が上部に位置する上縦置き状態にすると、子機Ｂから親機Ａに「次の画像を表示」信号が送信される。
【００６２】
また、ステップＢ１０６での判断の結果、検出信号ｂがＯＮであり、よって、検出信号ａ、ｂが共にＯＮの場合には、親機Ａへ「ズーム」信号を送信する（ステップＢ１０９）。したがって、閲覧シーケンスにおいてシャッターキー１３１を１回操作した後、図４（１）に示したように、子機Ｂを通常状態にすると、子機Ｂから親機Ａに「ズーム」信号が送信される。
【００６３】
また、ステップＢ１０９続くステップＢ１１０では、シャッターキー１３１が再度操作されたか否かを判断し、シャッターキー１３１が再度操作されたならば、検出信号ａ、ｂが共にＯＦＦであるか否かを判断する（ステップＢ１１１）。検出信号ａ、ｂが共にＯＦＦではない場合には、親機Ａへ「スクロール方向切替（縦横）」信号を送信する（ステップＢ１１２）。したがって、閲覧シーケンスにおいてシャッターキー１３１を２回操作した後、図４（１）（２）（４）に示したように、子機Ｂを通常状態、レンズ１０４が上部に位置する上縦置き状態、レンズ１０４が下部に位置する下縦置き状態のいずれかにすると、子機Ｂから親機Ａに「スクロール方向切替（縦横）」信号が送信される。
【００６４】
また、ステップＢ１１０での判断の結果、シャッターキー１３１が再度操作されない場合には、検出信号ａがＯＮ、ＯＦＦのいずれであるかを判断する（ステップＢ１０３）。検出信号ａがＯＮであるならば、更に、検出信号ｂがＯＮ、ＯＦＦのいずれであるかを判断する（ステップＢ１１４）。そして、検出信号ｂがＯＦＦであり、よって、検出信号ａがＯＮかつ検出信号ｂがＯＦＦの場合には、親機Ａへ「マイナス方向にスクロール」信号を送信する（ステップＢ１１５）。したがって、閲覧シーケンスにおいて、図４（２）に示したように、レンズ１０４が上部に位置する上縦置き状態に変化させると、子機Ｂから親機Ａに「マイナス方向にスクロール」信号が送信される。
【００６５】
また、ステップＢ１１３での判断の結果、検出信号ａがＯＦＦであるならば、更に、検出信号ｂがＯＮ、ＯＦＦのいずれであるかを判断する（ステップＢ１１６）。そして、検出信号ｂがＯＮであり、よって、検出信号ａがＯＦＦかつ検出信号ｂがＯＮの場合には、親機Ａへ「プラス方向にスクロール」信号を送信する（ステップＢ１１７）。したがって、閲覧シーケンスにおいて、図４（４）に示したように、子機Ｂをレンズ１０４が下部に位置する下縦置き状態に変化させると、子機Ｂから親機Ａに「プラス方向にスクロール」信号が送信される。
【００６６】
図１５は、図１４に示した子機Ｂ側の閲覧シーケンスに対応する親機Ａ側の閲覧シーケンスの処理手順を示すフローチャートである。先ず、画像メモリ１７又は外部記録媒体１９に記録されている撮影画像を表示部９に表示させる（ステップＡ１０１）。次に、子機Ｂから「次の画像表示」信号を受信したか否かを判断する（ステップＡ１０２）。「次の画像表示」信号を受信したならば、表示画像番号をインクリメントして（ステップＡ１０３）、この閲覧シーケンスの先頭へ戻り（ステップＡ１０９）、次の画像番号の撮影画像を表示部９に表示させる（ステップＡ１０１）。
【００６７】
また、「次の画像表示」信号を受信しなかった場合には、子機Ｂから「前の画像に戻る」信号を受信したか否かを判断する（ステップＡ１０４）。「前の画像に戻る」信号を受信したならば、表示画像番号をデクリメントして（ステップＡ１０５）、この閲覧シーケンスの先頭へ戻り（ステップＡ１０９）、前の画像番号の撮影画像を表示部９に表示させる（ステップＡ１０１）。
【００６８】
また、「前の画像に戻る」信号を受信しなかった場合には、子機Ｂから「閲覧終了」信号を受信したか否かを判断する（ステップＡ１０６）。「閲覧終了」信号を受信したならば、この閲覧シーケンスを終了する（ステップＡ１０７）。また、「閲覧終了」信号を受信しなかった場合には、子機Ｂから「ズーム」信号を受信したか否かを判断する（ステップＡ１０８）。「ズーム」信号を受信しなかった場合には、この閲覧シーケンスの先頭へ戻り（ステップＡ１０９）、「ズーム」信号を受信したならば、表示部９に表示されている画像を拡大する（ステップＡ１１０）。
【００６９】
次に、子機Ｂから「スクロール方向切替」信号を受信したか否かを判断する（ステップＡ１１１）。「スクロール方向切替」信号を受信したならば、スクロール方向を切り替える（ステップＡ１１２。）。「スクロール方向切替」信号を受信しなかった場合には、子機Ｂから「マイナス方向にスクロール」信号を受信したか否かを判断する（ステップＡ１１３）。「マイナス方向にスクロール」信号を受信したならば、表示部９に表示されている画像をマイナス方向（逆方向）にスクロールする（ステップＡ１１４）。「マイナス方向にスクロール」信号を受信しなかった場合には、子機Ｂから「プラス方向にスクロール」信号を受信したか否かを判断する（ステップＡ１１５）。「プラス方向にスクロール」信号を受信したならば、表示部９に表示されている画像をプラス方向（順方向）にスクロールする（ステップＡ１１６）。
【００７０】
したがって、前述した図１４のフローチャートに従った子機Ｂ側の処理と、この図１５に示したフローチャートに従った親機Ａ側の処理とにより、閲覧シーケンスにおいて子機Ｂの向きを変化させることより、親機Ａの画像表示をリモートコントロールすることができる。
【００７１】
図１６は、前記図５のフローチャートにおける「レリーズ撮影シーケンス」（ステップＢ１３）の処理手順を示すフローチャートである。すなわち、子機Ｂにおいてシャッターキー１３１が操作されたか否かを判断し（ステップＢ１３１）、操作されたならば、親機Ａへ「シャッターを切る」信号を送信する（ステップＢ１３２）。
【００７２】
図１７は、図１６に示した子機Ｂ側のレリーズ撮影シーケンスに対応する親機Ａ側のレリーズ撮影シーケンスの処理手順を示すフローチャートである。子機Ｂから「シャッターを切る」信号を受信したか否かを判断する（ステップＡ１３１）。「シャッターを切る」信号を受信したならば、撮影処理を行って、イメージバッファ１２に「シャッターを切る」信号を受信した直後の画像データを取り込み、この画像データを画像メモリ１７又は外部記録媒体１９に記録する（ステップＢ１３２）。
【００７３】
したがって、親機Ａを所望の位置に配置し、これから離れた位置で子機Ｂにてシャッターキー１３１の操作を行うことにより、親機Ａをリモートコントロールして撮影を行うことができる。
【００７４】
図１８は、前記図５のフローチャートにおける「リモートフラッシュシーケンス」（ステップＢ１５）に対応する親機Ａ側のリモートフラッシュシーケンスの処理手順を示すフローチャートである。すなわち、子機Ｂへフラッシュ発光準備要求を送信し（ステップＡ１５１）、この要求に応じて子機Ｂから送信される「フラッシュ発光準備ＯＫ」を受信するまで待機する（ステップＡ１５２）。子機Ｂからの「フラッシュ発光準備ＯＫ」を受信したならば（ステップＡ１５２；ＹＥＳ）、シャッターキー１３１が操作されたか否かを判断する（ステップＡ１５３）。シャッターキー１３１が操作されたならば、子機Ｂにフラッシュ発光信号を送信し（ステップＡ１５４）、フラッシュコントローラー１０に指示し、ストロボフラッシュ用のＬＥＤ１１を発光させる（ステップＡ１５５）。更に、撮影処理を行って、イメージバッファ１２にＬＥＤ１１を発光させた直後の画像データを取り込み、この画像データを画像メモリ１７又は外部記録媒体１９に記録する（ステップＡ１５６）。
【００７５】
図１９は、前記図５のフローチャートにおける「リモートフラッシュシーケンス」（ステップＢ１５）の処理手順を示すフローチャートである。前記ステップＡ１５１で親機Ａから送信されるフラッシュ発光準備要求があるまで待機する（ステップＢ１５１）。フラッシュ発光準備要求があったならば、フラッシュコントローラー１０を制御してストロボ発光の際の充電制御等のフラッシュ発光準備を行った後（ステップＢ１５２）、親機Ａへフラッシュ発行準備ＯＫ信号を送信する（ステップＢ１５２）。そして、親機Ａからのフラッシュ発光信号を受信するまで待機し（ステップＢ１５４）、フラッシュ発光信号を受信したならば、フラッシュコントローラー１０に指示し、ストロボフラッシュ用のＬＥＤ１１を発光させる（ステップＢ１５５）。
【００７６】
したがって、前述した図１８のフローチャートに従った子機Ｂ側の処理と、この図１９に示したフローチャートに従った親機Ａ側の処理とによるリモートフラッシュシーケンスにより、子機Ｂを親機Ａから遠隔操作し、図２０に示すように、親機Ａの外部フラッシュとして用いることができる。これにより、夜間等において親機Ａ内蔵のフラッシュでは光量が足りないロングショットの撮影などに、被写体付近に子機Ｂを配置することにより、撮影に必要な光量を確保することができる。
【００７７】
図２１は、前記図５のフローチャートの「コントロールシーケンス」（ステップＢ１７）におけるリモート撮影シーケンスに対応する親機Ａ側のリモート撮影シーケンスの処理手順を示すフローチャートである。すなわち、子機Ｂへ撮影準備要求を送信し（ステップＡ１７１）、この要求に応じて子機Ｂから送信される「撮影準備ＯＫ」を受信するまで待機する（ステップＡ１７２）。子機Ｂからの「撮影準備ＯＫ」を受信したならば（ステップＡ１７２；ＹＥＳ）、シャッターキー１３１が操作されたか否かを判断する（ステップＡ１７３）。シャッターキー１３１が操作されたならば、子機Ｂに撮影信号を送信し（ステップＡ１７４）、撮影処理を行って、イメージバッファ１２に画像データを取り込み、この画像データを画像メモリ１７又は外部記録媒体１９に記録する（ステップＡ１７５）。
【００７８】
図２２は、前記図５のフローチャートの「コントロールシーケンス」（ステップＢ１７）におけるリモート撮影シーケンス処理手順を示すフローチャートである。前記ステップＡ１７１で親機Ａから送信される撮影準備要求があるまで待機する（ステップＢ１７１）。撮影準備要求があったならば、撮影準備を行った後（ステップＢ１７２）、親機Ａへ撮影発行準備ＯＫ信号を送信する（ステップＢ１７２）。そして、親機Ａからの撮影信号を受信するまで待機し（ステップＢ１７４）、撮影信号を受信したならば、撮影処理を行って、イメージバッファ１２に画像データを取り込み、この画像データを画像メモリ１７に記録する（ステップＡ１７５）。
【００７９】
したがって、前述した図２１のフローチャートに従った子機Ｂ側の処理と、この図２２に示したフローチャートに従った親機Ａ側の処理とによるリモート撮影シーケンスを、図２３に示したように複数の子機Ｂ−１〜Ｂ−５を用いて行うことにより、親機Ａによって全体を撮影し、複数の子機Ｂ−１〜Ｂ−５によって被写体Ｏを異なる角度から撮影した画像を一瞬にして記録することができる。よって、マルチアングルの同時撮影や監視カメラ的な使用形態が可能となる。
【００８０】
また、撮影スケジューリングが可能なマクロ言語を用いることにより、動画撮影時において、子機Ｂ−１で１〜１２フレームまで、子機Ｂ−２で１３フレーム目、子機Ｂ−３で１４フレーム目、子機Ｂ−４で１５フレーム目、子機Ｂ−５で１６〜２４フレーム、子機Ｂ−４で２５フレーム目、子機Ｂ−３で２６フレーム目、子機Ｂ−２で２７フレーム目、子機Ｂ−１で２８フレーム目以降を撮影すれば、所謂マシンガン撮影のような連続的な撮影を行うことも可能となる。
【００８１】
なお、本実施の形態においては、前記図５のフローチャートの「コントロールシーケンス」（ステップＢ１７）の一例としてリモート撮影シーケンスを示したが、コントロールシーケンスはこれに限らず、親機Ａにモニターを有線接続し、子機Ｂ側での操作により親機Ａからモニターへのビデオ出力を制御するようにしてもよい。また、実施の形態においては、親機Ａと子機Ｂとを無線接続した場合を示したが、親機Ａと子機Ｂの外部接続用Ｉ／Ｆ２０同士をＵＳＢケーブルで有線接続して、前述した処理と同様の処理を有線で行うようにしてもよい。更に実施の形態においては、本発明をデジタルカメラに適用した場合について説明したが、撮影機能を有する機器であれば、デジタルカメラ以外の他の機器であっても本発明を適用することができる。
【図面の簡単な説明】
【００８２】
【図１】本発明の一実施の形態に係るカメラシステムのシステム構成図である。
【図２】親機の構成を示すブロック図である。
【図３】子機の構成を示すブロック図である。
【図４】状態センサが出力する検出信号と子機の向きとの関係を示す図である。
【図５】子機の処理手順を示すゼネラルフローチャートである。
【図６】図５のフローチャートにおけるステップＢ２の処理手順を示すフローチャートである。
【図７】図５のフローチャートのステップＢ８における子機データ移送シーケンスの処理手順を示すフローチャートである。
【図８】図７のフローチャートに示した子機データ移送シーケンスに対応する親機側のデータ移動シーケンスの処理手順を示すフローチャートである。
【図９】親機におけるメモリカード（外部記録媒体）への記憶遷移図である。
【図１０】親機側のデータ連結シーケンスの処理手順を示すフローチャートである。
【図１１】データ移動・画像連結処理の説明図である。
【図１２】データ移動コメント付加画像連結シーケンスの説明図である。
【図１３】データ移動画像シーケンスの説明図である。
【図１４】図５のフローチャートにおけるステップＢ１０の処理手順を示すフローチャートである。
【図１５】図１４に示した子機側の閲覧シーケンスに対応する親機側の閲覧シーケンスの処理手順を示すフローチャートである。
【図１６】図５のフローチャートにおけるステップＢ１３の処理手順を示すフローチャートである。
【図１７】図１６に示した子機側のレリーズ撮影シーケンスに対応する親機側のレリーズ撮影シーケンスの処理手順を示すフローチャートである。
【図１８】図５のフローチャートにおけるステップＢ１５に対応する親機側のリモートフラッシュシーケンスの処理手順を示すフローチャートである。
【図１９】図５のフローチャートにおけるステップＢ１５の処理手順を示すフローチャートである。
【図２０】子機を親機の外部フラッシュとして用た場合の説明図である。
【図２１】図５のフローチャートのステップＢ１７におけるリモート撮影シーケンスに対応する親機側のリモート撮影シーケンスの処理手順を示すフローチャートである。
【図２２】図５のフローチャートのステップＢ１７におけるリモート撮影シーケンス処理手順を示すフローチャートである。
【図２３】複数の子機を用いた撮影形態の説明図である
【符号の説明】
【００８３】
Ａ    親機
Ｂ    子機
１    画像取得部
２    アナログ信号処理部
５    制御部
６    プレビューエンジン
９    表示部
１０    フラッシュコントローラー
１１    ＬＥＤ
１２    イメージバッファ
１３    キー操作部
１６    プログラムメモリ
１７    画像メモリ
１９    外部記録媒体
２０    外部接続用Ｉ／Ｆ
２１    通信部
２２    アンテナ
２３    状態センサ
１３１    シャッターキー
２０１    撮像センサ
２０２    サンプリング／信号処理部
２０３    ＡＤコンバータ
【図１】
2005295421.tif 000003
【図２】
2005295421.tif 000004
【図３】
2005295421.tif 000005
【図４】
2005295421.tif 000006
【図５】
2005295421.tif 000007
【図６】
2005295421.tif 000008
【図７】
2005295421.tif 000009
【図８】
2005295421.tif 000010
【図９】
2005295421.tif 000011
【図１０】
2005295421.tif 000012
【図１１】
2005295421.tif 000013
【図１２】
2005295421.tif 000014
【図１３】
2005295421.tif 000015
【図１４】
2005295421.tif 000016
【図１５】
2005295421.tif 000017
【図１６】
2005295421.tif 000018
【図１７】
2005295421.tif 000019
【図１８】
2005295421.tif 000020
【図１９】
2005295421.tif 000021
【図２０】
2005295421.tif 000022
【図２１】
2005295421.tif 000023
【図２２】
2005295421.tif 000024
【図２３】
2005295421.tif 000025